(57)【要約】【課題】基板ケースを壊さない限り制御用ＲＯＭを交換できない基板ケースを提供することにある。【解決手段】基板ケース３０は、遊技機の制御用の主基板２０を内部に保持する横に長い長方形のケース本体３１（下基板ケース）と、ケース本体３１の正面開口部を塞ぐための横に長い長方形のカバー３２（上基板ケース）とを有している。基板ケース３０は、カバー３２とケース本体３１とを上下から嵌め込むことにより、ケース本体３１の４辺に突起状に形成された複数の爪３１ａとカバー３２の４辺内側（後述する外枠３２ｂの内側）に形成された複数の対応する凹状の爪穴３２ａが結合されるので、この状態では破壊しない限り取り外すことができなくなる。【選択図】図６
2008055112.tif 000002
【特許請求の範囲】
【請求項１】
遊技機の制御用主基板を機内に取付けるための基板ケースであって、
前記基板ケースは、前記制御用主基板を内部に密封する透明の上基板ケース及び下基板ケースからなり、
前記上基板ケースと前記下基板ケースは上下から嵌め込むことにより複数の爪で結合され、
前記上基板ケースには、前記制御用主基板を囲むリブ及び前記リブの外側に複数の貫通穴が形成されていること、
を特徴とする基板ケース。
【発明の詳細な説明】
【技術分野】
【０００１】
本発明は、パチスロ機と呼ばれる回胴式遊技機やパチンコ機といった遊技機において、制御用の主基板を機内に安全に取付けるための基板ケースに関する。
【背景技術】
【０００２】
近年、パチンコ機だけではなく、パチスロ機と称される回胴式遊技機を用いた遊技が、従来のパチンコホールやパチスロ専用ホールで盛んに行われている。これらの遊技機においては、制御用の主基板に搭載されたＲＯＭ内の情報により当選確率等が支配される。このため、制御用の主基板に対するセキュリティの確保が、機種を問わず重大な技術課題になっている。
【０００３】
すなわち、この種の遊技機においては、機器内を頻繁に操作する必要から、前扉により前面が開閉されるため、機器内の制御用主基板は否が応にも人目に曝されることになる。このため、制御用主基板の改造（ＲＯＭの付け替えなど）といった不正行為が後を絶たず、これに対処するために、制御用主基板の取付け装置には、不正改造を阻止するための様々な工夫が講じられている。
【０００４】
不正改造を阻止するための工夫を講じた典型的な基板取付け装置を図４及び図５に示す。ここに示された基板取付け装置は、遊技機のキャビネット１０の背板１１の表面に制御用の主基板２０を取付けるためのものであり、その主基板２０を収容する比較的薄型の基板ケース３０と、基板ケース３０を背板１１に固定するためのケースホルダー４０とを備えている。
【０００５】
基板ケース３０は、長方形の主基板２０を内部に保持する長方形の浅いケース本体３１と、ケース本体３１の正面開口部を塞ぐための長方形のカバー３２とを有しており、内部の主基板２０が見えるようにいずれも透明樹脂により形成されている。カバー３２は、基板ケース３０内に主基板２０を封入するために、下辺の係合部と上辺両側部に取付けられた複数のカシメピン３３とによりケース本体３１に封印固定される。
【０００６】
ケースホルダー４０は、ここでは基板ケース３０に対応する長方形の樹脂板からなり、キャビネット１０の背板１１の表面に固定ピン４５により取外し不能に取付けられる一方、正面側に基板ケース３０を封印固定、すなわち取外し不能に保持する。具体的には、ケースホルダー４０の下辺部に設けられた複数の突起４４と、基板ケース３０の上辺中央部に保持された複数のカシメピン３４とにより、基板ケース３０はケースホルダー４０に封印固定される。
【０００７】
基板ケース３０を封印固定し、その基板ケース３０をケースホルダー４０に封印固定した後は、これらに跨がって封印シールが貼られる。基板ケース３０とケースホルダー４０を組み合わせた同様の基板取付け装置は、例えば特許文献１にも記載されている。
【０００８】
【特許文献１】特開２００１−１７０２５５号公報
【０００９】
このような基板取付け装置によると、カシメピン３３，３４によるカシメ封印部をニッパー等の工具で破壊しない限り、基板ケース３０をケースホルダー４０から取り外すことができないし、基板ケース３０を開放することもできない。そして、カシメ封印部をニッパー等の工具で破壊した場合は、その痕跡が明確に残り、その痕跡は遊技機を前扉を開けると直ぐに見付けることができる。これに加えて、透明な基板ケース３０を通して内部の主基板２０の表面を直接監視することもできる。これらの結果として、基板ケース３０を開放して主基板２０に細工するとか、基板ケース３０ごと主基板２０を取り替えるといった不正行為は効果的に防止される。
【００１０】
ところが、不正行為の手口は年々巧妙化しており、遊技機の正面側からの不正行為だけでなく、背面側からの不正行為も考えられる。すなわち、これまでの不正行為は、もっぱら遊技機の前扉を開けて正面側からだけ行われてきた。このような不正行為に対しては、上述した基板取付け装置は十分な効力を発揮することができる。しかし、遊技機の背面側からキャビネット１０の背板１１を破かれ、基板ケース３０内の主基板２０の背面に不正行為が行われた場合は、その痕跡を見付けることができない。なぜなら、このれまでのセキュリティを重視した基板取付け装置も、基板ケース３０内の主基板２０の背面まで見ることは想定していないからである。
【００１１】
したがって、背面側からの不正行為を調査するために、基板ケース３０内の主基板２０の背面を見せる要請があったとしても、これに応えることもできない。
【００１２】
要するに、これまでのセキュリティを重視した基板取付け装置も、主基板２０の背面への不正行為に対しては、これを発見することも、調査することもできず、全く無力なのである。更に、カシメピンを巧妙に壊して、制御用ＲＯＭを不正改造したＲＯＭに取り替えて元に戻すというゴト行為が行なわれている。
【発明の開示】
【発明が解決しようとする課題】
【００１３】
本発明の目的は、遊技機の機内に取付けられた制御用主基板の正面側からの不正行為は勿論のこと、その主基板の背面に対する不正行為も厳しく監視し、これを防止することができるセキュリティ度の極めて高い基板ケースを提供することにある。
また、基板ケースを壊さない限り制御用ＲＯＭを交換できない基板ケースを提供することにある。また、壊したことは一見して分かる。
【課題を解決するための手段】
【００１４】
上記目的を達成するために、本発明の基板ケースは、遊技機の制御用主基板を機内に取付けるための基板ケースであって、前記基板ケースは、前記制御用主基板を内部に密封する透明の上基板ケース及び下基板ケースからなり、前記上基板ケースと前記下基板ケースは上下から嵌め込むことにより複数の爪で結合され、前記上基板ケースには、前記制御用主基板を囲むリブ及び前記リブの外側に複数の貫通穴が形成されていることを特徴とする。
【００１５】
また、遊技機の制御用主基板を機内に取付けるための基板取付け装置であって、前記主基板の表面及び裏面を外部から視認できるように当該主基板を内部に密封する透明の基板ケースと、該基板ケースを遊技機の機器内面に取付けるべく基板ケースとその取付け面との間に介在し、取付け面に取付けられた基板ケースを取付け面から分離することなく手前側へ傾動可能に保持する可動式のケースホルダーとを具備している。
本発明の基板取付け装置においては、主基板を内部に密封する透明の基板ケースが可動式のケースホルダーにより機内の取付け面に取付けられる。可動式のケースホルダーは、当該ホルダーにより取付け面に取付けられた基板ケースを、取付け面から分離することなく手前側へ傾動可能に保持する。主基板は透明の基板ケース内に封入されているので、正面から主基板の正面を見ることができるだけでなく、その基板ケースを手前側へ傾動させれば、正面側から主基板の裏面を見ることができる。
【００１６】
可動式のケースホルダーは、遊技機内のケース取付け面に固着される固定ベース部と、固定ベース部の一辺を中心にして手前側へ傾動するように固定ベース部にヒンジ結合されると共に、基板ケースの裏面側からの内部確認を阻害しないように基板ケースを封印保持する可動保持部とを組み合わせたヒンジ構造のものが、構造が簡単で好ましく、このケースホルダーを構成する部材のうちの少なくとも可動保持部は透明材料からなることが、構造簡略化、主基板の裏面視認性等の点から好ましい。
【発明の効果】
【００１７】
本発明の基板ケースは、その上基板ケースには制御用主基板を囲むリブ及び前記リブの外側に複数の貫通穴が形成されているので、完全に壊さなければ、制御用ＲＯＭを交換できない。従って、不正が行なわれたら人目で分かる。
本発明の基板取付け装置は、主基板を内部に密封する透明の基板ケースを可動式のケースホルダーにより手前側へ傾動可能に保持するので、必要なときはいつでも簡単に基板ケース内の主基板の裏面を目視確認することができる。このため、主基板の表面だけでなく裏面についても頻繁に監視することができ、仮に主基板の裏面に不正が行われたとしてもこれを直ちに見付けることができので、結果として裏面に対する不正行為を効果的に阻止することができる。
【発明を実施するための最良の形態】
【００１８】
第一実施例：
以下、本発明の実施形態を図面に基づいて詳細に説明する。図１は本発明の一実施形態を示す基板取付け装置の全体構造を示す斜視図、図２は同基板取付け装置の主要部である可動式ケースホルダーの構造を示す斜視図、図３（ａ）（ｂ）は同基板取付け装置の動作を示す縦断側面図である。
【００１９】
本実施形態の基板取付け装置は、図１及び図３に示すように、遊技機としてのパチスロ機の制御用主基板２０をその機器内に取付けるのに使用される。パチスロ機は、前面が開放した角箱形状のキャビネット１０と、キャビネット１０の前面開口部を開閉する図示されない前扉とを備えており、回胴式遊技機の主要構成部品である回転ドラム、メダル払出し装置等（いずれせ図示せず）は、このキャビネット１０内に組み込まれる。
【００２０】
当該パチスロ機を統括的に制御する主基板２０は、本実施形態の基板取付け装置によりキャビネット１０の背板１１の最上部正面に取付けられる。この取付けに使用される基板取付け装置は、横に長い長方形の主基板２０を収容する基板ケース３０と、基板ケース３０を背板１１の所定部に取付けるための可動式のケースホルダー４０とを備えている。
【００２１】
基板ケース３０は、図４及び図５に示した従来の基板取付け装置に使用されているものと基本的に同じであって、主基板２０を内部に保持する横に長い長方形のケース本体３１と、ケース本体３１の正面開口部を塞ぐための横に長い長方形のカバー３２とを有している。ケース本体３１及びカバー３２は、内部の主基板２０の表面及び裏面が外部から良く見えるように、いずれも透明樹脂により形成されている。
【００２２】
基板ケース３０のカバー３２は、基板ケース３０内に主基板２０を封入するために、ケース本体３１の下辺部と係合する係合部を下辺部に有し、上辺両側部には、押し込み可能に保持された複数のカシメピン３３を装備している。カバー３２の下辺部をケース本体３１と係合させてカバー３２をケース本体３１の正面側に被せ、ケース本体３１の上辺両側部に設けられた複数の固定孔に複数のカシメピン３３を押し込むことにより、カバー３２はケース本体３１に封印固定され、基板ケース３０内に主基板２０を封入する。
【００２３】
可動式のケースホルダー４０は、本実施形態の基板取付け装置における主要部であり、基板取付け部である背板１１の最上部正面に取付けられることにより、同部に基板ケース３０を傾動可能に支持する。このケースホルダー４０はヒンジ構造であり、背板１１の所定部に固着される固定ベース部４０Ａと、基板ケース３０を正面側に封印固定する可動保持部４０Ｂとを下辺部で回動可能にヒンジ結合した構造になっている。これにより、可動保持部４０Ｂは下辺のヒンジ部４１を中心として手前側へ傾動することが可能である。
【００２４】
ヒンジ部４１は不正行為を防止するために、破壊する以外は分解できず、しかもその破壊の痕跡が明確に残る構造になっている。
【００２５】
固定ベース部４０Ａは、基板ケース３０に対応する長方形の樹脂板からなり、背板１１の所定部に複数の固定ピン４５により取外し不能に取付けられる。固定ベース部４０Ａの下辺のヒンジ部４１を除く３辺には、可動保持部４０Ｂを収容するために枠状の凸部４２が設けられている。
【００２６】
可動保持部４０Ｂは、固定ベース部４０Ａの正面側に重なり合う長方形の樹脂板からなる。この可動保持部４０Ｂは、樹脂板の正面側に基板ケース３０を封印固定するが、その固定構造は、図４及び図５に示した従来の基板取付け装置の基板ケース３０及びケースホルダー４０に採用されているものと実質的に同じである。
【００２７】
すなわち、可動保持部４０Ｂの４辺部には、内側に基板ケース３０が嵌合するように角枠状の凸部４３が設けられている。凸部４３の下辺部には、基板ケース３０の下辺部を係止するために、上方へ突出した複数の突起４４が設けられている。凸部４３の上辺部には、基板ケース３０の上辺中央部に保持された複数のカシメピン３４が係合する固定部４６が、凸部４３の下側に位置して設けられている。そして、基板ケース３０を可動保持部４０Ｂの正面側に重ねて、基板ケース３０の下辺部を複数の突起４４で係止し、基板ケース３０の上辺部に保持された複数のカシメピン３４を固定部４６に押し込むことにより、基板ケース３０は可動保持部４０Ｂの正面側に封印固定される。
【００２８】
基板ケース３０が正面側に封印固定された状態で、可動保持部４０Ｂは固定ベース部４０Ａの正面側に重なり合った使用状態に保持される。また、この使用状態から下辺のヒンジ部４１を中心にして正面側へほぼ９０度、或いはそれ以上傾動して下へ開くことができる。可動保持部４０Ｂが下へ開いた状態は、その裏面を正面側から目視できる検査状態であり、この状態で当該可動保持部４０Ｂを通して基板ケース３０内の主基板２０の裏面を目視できるように、可動保持部４０Ｂは固定ベース部４０Ａと共に透明樹脂により形成されている。
【００２９】
次に、本実施形態の基板取付け装置の機能について説明する。
【００３０】
本実施形態の基板取付け装置においては、制御用の主基板２０を内部に封印固定した基板ケース３０が、ケースホルダー４０によりキャビネット１０の背板１１の最上部表面に取付けられる。ここで、ケースホルダー４０は背板１１の所定位置に固着される固定ベース部４０Ａと、これにヒンジ結合された可動保持部４０Ｂとからなり、基板ケース３０は可動保持部４０Ｂの正面側に封印固定される。封印シールは、基板ケース３０から可動保持部４０Ｂにかけて貼り着けられる。
【００３１】
通常は、ケースホルダー４０の可動保持部４０Ｂは、固定ベース部４０Ａの正面側に重ね合わされた使用状態に保持される。これにより、主基板２０は機器内の定位置に背板１１に沿って垂直姿勢に保持固定される。ここで、基板ケース３０は透明樹脂からなるので、可動保持部４０Ｂが使用状態のときは、基板ケース３０の正面部である透明カバー３２を通して基板ケース３０内の主基板２０の表面を直接目視することができる。また、基板ケース３０のカシメ封印部や封印シールの状態も直接目視することができる。ただし、主基板２０の裏面を見ることはできない。
【００３２】
主基板２０の裏面を見たいときは、ケースホルダー４０の可動保持部４０Ｂを手前側（正面側）へ傾動させる。すなわち、可動保持部４０Ｂを下へ開く。これにより、可動保持部４０Ｂが上下反転して裏返り、その裏面が目視可能な検査状態となる。ここで、可動保持部４０Ｂは基板ケース３０と共に透明樹脂により形成されている。このため、可動保持部４０Ｂ及び基板ケース３０の背面部であるケース本体３１を通して、基板ケース３０内の主基板２０の裏面を正面側から直接目視することが可能となる。これにより、もし仮に主基板２０の裏面に不正が行われていたときは、その不正を直ちに見付けることができる。また、主基板２０の裏面を検査する要請があった場合は、その要請に即座に応えることができる。
【００３３】
ケースホルダー４０の可動保持部４０Ｂは、正面側へ傾動させることはできるが、固定ベース部４０Ａから分離することはできない。このため主基板２０を基板ケース３０及び可動保持部４０Ｂごと取り替えるような不正も防止することができる。また、可動保持部４０Ｂを正面側へ傾動させることにより、固定ベース部４０Ａが露出し、固定ベース部４０Ａの取付け状態も随時検査確認することができる。
【００３４】
上記実施形態は、ケースホルダー４０のヒンジ部４１が下辺部に設けられた所謂下ヒンジ構造を採用しているが、そのヒンジ部を左右いずれかの側辺部に設けて、可動保持部４０Ｂを横に開く構造とすることもでき、更には上辺部に設けた上ヒンジ構造として、可動保持部４０Ｂを上に開くこともできる。
【００３５】
主基板２０及び基板取付け装置の取付け位置についても、上記実施形態に限るものではなく、機種に応じた箇所を任意に選択することができる。
【００３６】
第二実施例：
図６〜図８は、本発明に係る基板ケースの斜視図である。
基板ケース３０は、遊技機の制御用の主基板２０を内部に保持する横に長い長方形のケース本体３１（下基板ケース）と、ケース本体３１の正面開口部を塞ぐための横に長い長方形のカバー３２（上基板ケース）とを有している。
【００３７】
基板ケース３０は、カバー３２とケース本体３１とを上下から嵌め込むことにより、ケース本体３１の４辺に突起状に形成された複数の爪３１ａとカバー３２の４辺内側（後述する外枠３２ｂの内側）に形成された複数の対応する凹状の爪穴３２ａが結合されるので、この状態では破壊しない限り取り外すことができなくなる。
【００３８】
カバー３２は、断面が略コの字型の箱型形状（いわゆる弁当箱の上蓋状）で外周を取り巻く外枠３２ｂがあり、その内側にリブ３２ｃが形成されている。
このリブ３２ｃは、取り付けられる主基板２０の全周を取り囲む様に形成されており、リブ３２ｃと外枠３２ｂの間には、複数の貫通穴３２ｄが形成されている。このリブが３２ｃあることによって、複数の貫通穴３２ｄから主基板２０を触れることができないので、改造することが不可能になる。
【００３９】
このケース本体３１とカバー３２が嵌め込まれた状態で、貫通穴３２ｄと貫通穴３２ｄとの間の切断部３２ｅを全てニッパ等でカットすることにより、初めて天板部３２ｆが切断され、爪３２ａと爪穴３１ａが外れるので、主基板２０を取り出すことが可能になる。従って、不正が行なわれたら人目で分かるので、結果として、主基板２０に対する不正行為を効果的に阻止することができる。
【図面の簡単な説明】
【００４０】
【図１】本発明の一実施形態を示す基板取付け装置の全体構造を示す斜視図である。
【図２】同基板取付け装置の主要部である可動式ケースホルダーの構造を示す斜視図である。
【図３】同基板取付け装置の動作を示す縦断側面図で、（ａ）は使用状態（閉止状態）、（ｂ）は検査状態（開放状態）をそれぞれ示す。回胴式遊技機の正面図である。
【図４】従来の基板取付け装置の全体構造を示す斜視図である。
【図５】同基板取付け装置の縦断側面図で、（ａ）は基板ケースを取付ける前の状態、（ｂ）は基板ケースを取付けた後の状態をそれぞれ示す。
【図６】本発明に係る基板ケースの斜視図である。
【図７】本発明に係る基板ケースの斜視図である。
【図８】本発明に係る基板ケースの斜視図である。
【符号の説明】
【００４１】
１０  キャビネット
１１  背板
２０  主基板
３０  基板ケース
３１  ケース本体
３２  カバー
３３，３４  カシメピン
４０  ケースホルダー
４０Ａ  固定ベース部
４０Ｂ  可動保持部
４１  ヒンジ部
４４  固定部
４５  固定ピン
【図１】
2008055112.tif 000003
【図２】
2008055112.tif 000004
【図３】
2008055112.tif 000005
【図４】
2008055112.tif 000006
【図５】
2008055112.tif 000007
【図６】
2008055112.tif 000008
【図７】
2008055112.tif 000009
【図８】
2008055112.tif 000010
【手続補正書】
【提出日】平成18年12月28日(2006.12.28)
【手続補正１】
【補正対象書類名】特許請求の範囲
【補正対象項目名】全文
【補正方法】変更
【補正の内容】
【特許請求の範囲】
【請求項１】
遊技機の制御用主基板を機内に取付けるための基板ケースであって、
前記基板ケースは、前記制御用主基板を内部に密封する透明の上基板ケース及び下基板ケースからなり、
前記上基板ケースと前記下基板ケースは上下から嵌め込むことにより複数の爪と対応する爪穴で結合され、
前記上基板ケースには、箱型形状で外周を取り巻く外枠と、前記外枠の内側に前記制御用主基板の全周を取り囲むリブ、並びに前記リブと前記外枠の間には複数の貫通穴及び前記貫通穴の間に切断部が形成されており、前記切断部の全てをカットすることにより、天板部３２ｆが切断され、前記爪と前記爪穴が外れること、
を特徴とする基板ケース。
【手続補正２】
【補正対象書類名】明細書
【補正対象項目名】００１４
【補正方法】変更
【補正の内容】
【００１４】
上記目的を達成するために、本発明の基板ケースは、遊技機の制御用主基板を機内に取付けるための基板ケースであって、前記基板ケースは、前記制御用主基板を内部に密封する透明の上基板ケース及び下基板ケースからなり、前記上基板ケースと前記下基板ケースは上下から嵌め込むことにより複数の爪と対応する爪穴で結合され、前記上基板ケースには、箱型形状で外周を取り巻く外枠と、前記外枠の内側に前記制御用主基板の全周を取り囲むリブ、並びに前記リブと前記外枠の間には複数の貫通穴及び前記貫通穴の間に切断部が形成されており、前記切断部の全てをカットすることにより、天板部３２ｆが切断され、前記爪と前記爪穴が外れることを特徴とする。
【手続補正書】
【提出日】平成18年12月29日(2006.12.29)
【手続補正１】
【補正対象書類名】特許請求の範囲
【補正対象項目名】全文
【補正方法】変更
【補正の内容】
【特許請求の範囲】
【請求項１】
遊技機の制御用主基板を機内に取付けるための基板ケースであって、
前記基板ケースは、前記制御用主基板を内部に密封する透明の上基板ケース及び下基板ケースからなり、
前記上基板ケースと前記下基板ケースは上下から嵌め込むことにより複数の爪と対応する爪穴で結合され、
前記上基板ケースには、箱型形状で外周を取り巻く外枠と、前記外枠の内側に前記制御用主基板の全周を取り囲むリブ、並びに前記リブと前記外枠の間には複数の貫通穴及び前記貫通穴の間に切断部が形成されており、前記切断部の全てをカットすることにより、天板部が切断され、前記爪と前記爪穴が外れること、
を特徴とする基板ケース。
【手続補正２】
【補正対象書類名】明細書
【補正対象項目名】００１４
【補正方法】変更
【補正の内容】
【００１４】
上記目的を達成するために、本発明の基板ケースは、遊技機の制御用主基板を機内に取付けるための基板ケースであって、前記基板ケースは、前記制御用主基板を内部に密封する透明の上基板ケース及び下基板ケースからなり、前記上基板ケースと前記下基板ケースは上下から嵌め込むことにより複数の爪と対応する爪穴で結合され、前記上基板ケースには、箱型形状で外周を取り巻く外枠と、前記外枠の内側に前記制御用主基板の全周を取り囲むリブ、並びに前記リブと前記外枠の間には複数の貫通穴及び前記貫通穴の間に切断部が形成されており、前記切断部の全てをカットすることにより、天板部が切断され、前記爪と前記爪穴が外れることを特徴とする。